【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
第１のマルチキャストトラフィックチャネル、ＭＴＣＨ、を受信すること、
を備え、
少なくとも第２のＭＴＣＨのためのマルチメディアブロードキャストマルチキャストサービス、ＭＢＭＳ、制御情報を記憶することと、前記ＭＢＭＳ制御情報は、発展型ノードＢ、ｅＮＢ、から収集され、
前記第２のＭＴＣＨを受信することを判断すると、前記第２のＭＴＣＨのための前記記憶されたＭＢＭＳ制御情報にアクセスすることと、
前記アクセスされたＭＢＭＳ制御情報に基づいて前記第２のＭＴＣＨを受信することと、前記第２のＭＴＣＨは、前記第２のＭＴＣＨを受信するという前記判断の後、前記第２のＭＴＣＨのための前記ＭＢＭＳ制御情報を前記ｅＮＢから収集することなしに受信され、
によって特徴付けられる、ユーザ機器、ＵＥ、において動作するワイヤレス通信の方法。
【請求項２】
前記ＭＢＭＳ制御情報が、少なくとも１つのマルチキャスト制御チャネル、ＭＣＣＨ、に関する構成情報またはマルチキャストチャネル、ＭＣＨ、スケジューリング情報、ＭＳＩ、のうちの少なくとも１つを備え、前記少なくとも１つのＭＣＣＨの各々が異なるマルチキャストブロードキャスト単一周波数ネットワーク、ＭＢＳＦＮ、エリアに関連する、請求項１に記載の方法。
【請求項３】
前記構成情報がＭＢＳＦＮエリア構成メッセージ中で搬送される、請求項２に記載の方法。
【請求項４】
前記ＭＢＭＳ制御情報が前記少なくとも１つのＭＣＣＨに関する前記構成情報を備える、請求項２に記載の方法。
【請求項５】
複数のＭＢＳＦＮエリアのためのシステム情報ブロック、ＳＩＢ、を受信することと、
前記ＳＩＢ中で識別された前記複数のＭＢＳＦＮエリアの各々のための前記構成情報を収集することと
をさらに備え、
ここにおいて前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、請求項４に記載の方法。
【請求項６】
前記アクセスされた構成情報に基づいて、前記第２のＭＴＣＨのための物理マルチキャストチャネル、ＰＭＣＨ、を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
をさらに備え、
ここにおいて前記第２のＭＴＣＨが、前記取得されたスケジューリング情報に基づいて受信される、請求項４に記載の方法。
【請求項７】
前記少なくとも１つのＭＣＣＨの各々について各ＭＣＣＨ変更期間中に前記構成情報を正常に２回以上受信することを控えることをさらに備える、請求項４に記載の方法。
【請求項８】
前記ＭＢＭＳ制御情報が、ＭＳＩメディアアクセス制御、ＭＡＣ、制御要素中で搬送される前記ＭＳＩを備える、請求項２に記載の方法。
【請求項９】
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１０】
前記第１のＭＴＣＨがＭＢＳＦＮエリアを介して受信され、前記方法は、
前記ＭＢＳＦＮエリアに関連する各物理マルチキャストチャネル、ＰＭＣＨ、のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１１】
複数のＭＢＳＦＮエリアの各々に関連する各物理マルチキャストチャネル、ＰＭＣＨ、のためのＭＳＩを収集することをさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１２】
第１のマルチキャストトラフィックチャネル、ＭＴＣＨ、を受信するための手段、
を備え、
少なくとも第２のＭＴＣＨのためのマルチメディアブロードキャストマルチキャストサービス、ＭＢＭＳ、制御情報を記憶するための手段と、前記ＭＢＭＳ制御情報は、発展型ノードＢ、ｅＮＢ、から収集され、
前記第２のＭＴＣＨを受信することを判断すると、前記第２のＭＴＣＨのための前記記憶されたＭＢＭＳ制御情報にアクセスするための手段と、
前記アクセスされたＭＢＭＳ制御情報に基づいて前記第２のＭＴＣＨを受信するための手段と、前記第２のＭＴＣＨは、前記第２のＭＴＣＨを受信するという前記判断の後、前記第２のＭＴＣＨのための前記ＭＢＭＳ制御情報を前記ｅＮＢから収集することなしに受信され、
によって特徴付けられる、ユーザ機器、ＵＥ、におけるワイヤレス通信のための装置。
【請求項１３】
前記ＭＢＭＳ制御情報が、少なくとも１つのマルチキャスト制御チャネル、ＭＣＣＨ、に関する構成情報またはマルチキャストチャネル、ＭＣＨ、スケジューリング情報、ＭＳＩ、のうちの少なくとも１つを備え、前記少なくとも１つのＭＣＣＨの各々が異なるマルチキャストブロードキャスト単一周波数ネットワーク、ＭＢＳＦＮ、エリアに関連する、請求項１２に記載の装置。
【請求項１４】
前記ＭＢＭＳ制御情報が前記少なくとも１つのＭＣＣＨに関する前記構成情報を備え、
前記装置は、前記少なくとも１つのＭＣＣＨの各々について各ＭＣＣＨ変更期間中に前記構成情報を正常に２回以上受信することを控えるための手段をさらに備える、請求項１３に記載の装置。
【請求項１５】
実行されたとき、少なくとも１つのコンピュータに、請求項１乃至１１のうちの１つに従う方法を実行させるための実行可能な命令を備える、コンピュータプログラム。
【手続補正２】
【補正対象書類名】明細書
【補正対象項目名】００６３
【補正方法】変更
【補正の内容】
【００６３】
[0079]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を備える、ワイヤレス通信の方法。
［Ｃ２］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ１に記載の方法。
［Ｃ３］
前記構成情報がマルチキャストブロードキャスト単一周波数ネットワーク（ＭＢＳＦＮ）エリア構成メッセージ中で搬送される、Ｃ２に記載の方法。
［Ｃ４］
前記ＭＢＭＳ制御情報が前記少なくとも１つのＭＣＣＨに関する前記構成情報を備える、Ｃ２に記載の方法。
［Ｃ５］
複数のＭＢＳＦＮエリアのためのシステム情報ブロック（ＳＩＢ）を受信することと、
前記ＳＩＢ中で識別された前記複数のＭＢＳＦＮエリアの各々のための前記構成情報を収集することと
をさらに備え、
ここにおいて前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ４に記載の方法。
［Ｃ６］
前記アクセスされた構成情報に基づいて、前記第２のＭＴＣＨのための物理マルチキャストチャネル（ＰＭＣＨ）を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
をさらに備え、
ここにおいて前記第２のＭＴＣＨが、前記取得されたスケジューリング情報に基づいて受信される、Ｃ４に記載の方法。
［Ｃ７］
前記少なくとも１つのＭＣＣＨの各々について各ＭＣＣＨ変更期間中に前記構成情報を正常に２回以上受信することを控えることをさらに備える、Ｃ４に記載の方法。
［Ｃ８］
前記ＭＢＭＳ制御情報が、ＭＳＩメディアアクセス制御（ＭＡＣ）制御要素中で搬送される前記ＭＳＩを備える、Ｃ２に記載の方法。
［Ｃ９］
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１０］
前記第１のＭＴＣＨがＭＢＳＦＮエリアを介して受信され、前記方法は、
前記ＭＢＳＦＮエリアに関連する各物理マルチキャストチャネル（ＰＭＣＨ）のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１１］
複数のＭＢＳＦＮエリアの各々に関連する各物理マルチキャストチャネル（ＰＭＣＨ）のためのＭＳＩを収集することをさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１２］
第１のマルチキャストトラフィックチャネル（ＭＴＣＨ）を受信するための手段と、
少なくとも第２のＭＴＣＨのためのマルチメディアブロードキャストマルチキャストサービス（ＭＢＭＳ）制御情報を記憶するための手段と、
前記第２のＭＴＣＨを受信することを判断するための手段と、
前記第２のＭＴＣＨを受信することを判断すると、前記第２のＭＴＣＨのための前記記憶されたＭＢＭＳ制御情報にアクセスするための手段と、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信するための手段と
を備える、ワイヤレス通信のための装置。
［Ｃ１３］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ１２に記載の装置。
［Ｃ１４］
前記構成情報がマルチキャストブロードキャスト単一周波数ネットワーク（ＭＢＳＦＮ）エリア構成メッセージ中で搬送される、Ｃ１３に記載の装置。
［Ｃ１５］
前記ＭＢＭＳ制御情報が前記少なくとも１つのＭＣＣＨに関する前記構成情報を備える、Ｃ１３に記載の装置。
［Ｃ１６］
複数のＭＢＳＦＮエリアのためのシステム情報ブロック（ＳＩＢ）を受信するための手段と、
前記ＳＩＢ中で識別された前記複数のＭＢＳＦＮエリアの各々のための前記構成情報を収集するための手段と
をさらに備え、
前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ１５に記載の装置。
［Ｃ１７］
前記アクセスされた構成情報に基づいて、前記第２のＭＴＣＨのための物理マルチキャストチャネル（ＰＭＣＨ）を示す情報を取得するための手段と、
ＭＳＩが前記ＰＭＣＨのために記憶されたかどうかを判断するための手段と、
前記ＭＳＩが前記ＰＭＣＨのために記憶されていないとき、前記第２のＭＴＣＨのためのスケジューリング情報を取得するために前記ＰＭＣＨのための前記ＭＳＩを収集するための手段と、
前記ＭＳＩが前記ＰＭＣＨのために記憶されたとき、前記第２のＭＴＣＨのためのスケジューリング情報を取得するために前記ＰＭＣＨのための前記ＭＳＩにアクセスするための手段と
をさらに備え、
前記第２のＭＴＣＨが、前記取得されたスケジューリング情報に基づいて受信される、Ｃ１５に記載の装置。
［Ｃ１８］
前記少なくとも１つのＭＣＣＨの各々について各ＭＣＣＨ変更期間中に前記構成情報を正常に２回以上受信することを控えるための手段をさらに備える、Ｃ１５に記載の装置。
［Ｃ１９］
前記ＭＢＭＳ制御情報が、ＭＳＩメディアアクセス制御（ＭＡＣ）制御要素中で搬送される前記ＭＳＩを備える、Ｃ１３に記載の装置。
［Ｃ２０］
前記第１のＭＴＣＨのための第１の物理マルチキャストチャネル（ＰＭＣＨ）に関連するＭＳＩを収集するための手段と、
前記収集されたＭＳＩを記憶するための手段と、
前記第２のＭＴＣＨに関連する第２のＰＭＣＨが前記第１のＰＭＣＨと同じであるかどうかを判断するための手段と、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集するための手段と
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２１］
前記第１のＭＴＣＨがＭＢＳＦＮエリアを介して受信され、前記装置は、
前記ＭＢＳＦＮエリアに関連する各物理マルチキャストチャネル（ＰＭＣＨ）のためのＭＳＩを収集するための手段と、
前記収集されたＭＳＩを記憶するための手段と、
前記第２のＭＴＣＨが前記ＭＢＳＦＮエリアに関連するかどうかを判断するための手段と、
前記第２のＭＴＣＨが前記ＭＢＳＦＮエリアに無関連であるとき、前記第２のＭＴＣＨのためのスケジューリング情報を取得するためにＭＳＩを収集するための手段と
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２２］
複数のＭＢＳＦＮエリアの各々に関連する各物理マルチキャストチャネル（ＰＭＣＨ）のためのＭＳＩを収集するための手段をさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２３］
ワイヤレス通信の装置であって、
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を行うように構成された処理システム
を備える、装置。
［Ｃ２４］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ２３に記載の装置。
［Ｃ２５］
前記構成情報がマルチキャストブロードキャスト単一周波数ネットワーク（ＭＢＳＦＮ）エリア構成メッセージ中で搬送される、Ｃ２４に記載の装置。
［Ｃ２６］
前記ＭＢＭＳ制御情報が前記少なくとも１つのＭＣＣＨに関する前記構成情報を備える、Ｃ２４に記載の装置。
［Ｃ２７］
前記処理システムは、
複数のＭＢＳＦＮエリアのためのシステム情報ブロック（ＳＩＢ）を受信することと、
前記ＳＩＢ中で識別された前記複数のＭＢＳＦＮエリアの各々のための前記構成情報を収集することと
を行うようにさらに構成され、
前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ２６に記載の装置。
［Ｃ２８］
前記処理システムは、
前記アクセスされた構成情報に基づいて、前記第２のＭＴＣＨのための物理マルチキャストチャネル（ＰＭＣＨ）を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
を行うようにさらに構成され、
前記第２のＭＴＣＨが、前記取得されたスケジューリング情報に基づいて受信される、Ｃ２６に記載の装置。
［Ｃ２９］
前記処理システムが、前記少なくとも１つのＭＣＣＨの各々について各ＭＣＣＨ変更期間中に前記構成情報を正常に２回以上受信することを控えることを行うようにさらに構成された、Ｃ２６に記載の装置。
［Ｃ３０］
前記ＭＢＭＳ制御情報が、ＭＳＩメディアアクセス制御（ＭＡＣ）制御要素中で搬送される前記ＭＳＩを備える、Ｃ２４に記載の装置。
［Ｃ３１］
前記処理システムは、
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
を行うようにさらに構成され、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３２］
前記第１のＭＴＣＨがＭＢＳＦＮエリアを介して受信され、前記処理システムは、
前記ＭＢＳＦＮエリアに関連する各物理マルチキャストチャネル（ＰＭＣＨ）のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
を行うようにさらに構成され、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３３］
前記処理システムが、複数のＭＢＳＦＮエリアの各々に関連する各物理マルチキャストチャネル（ＰＭＣＨ）のためのＭＳＩを収集することを行うようにさらに構成され、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３４］
コンピュータプログラム製品であって、
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を行うためのコードを備えるコンピュータ可読媒体
を備える、コンピュータプログラム製品。